(57)【特許請求の範囲】
【請求項１】
第１拡張左音声信号（又は第１拡張右音声信号）、又は、第２拡張左音声信号（又は第２拡張右音声信号）を増幅する第１増幅部と、
第２拡張左音声信号、又は、第３拡張左音声信号（又は第３拡張右音声信号）を増幅する第２増幅部と、
第１拡張左音声信号、又は、第２拡張左音声信号の一方を前記第１増幅部に供給する第１デジタルアナログ変換器と、
第２拡張左音声信号、又は、第３拡張左音声信号の一方を前記第２増幅部に供給する第２デジタルアナログ変換器と、
第２拡張左音声信号を、第２拡張左音声信号用プリアウト端子に出力する第３デジタルアナログ変換器と、
第１拡張左音声信号を出力する第１スピーカー端子と、
第２拡張左音声信号を出力する第２スピーカー端子と、
第３拡張左音声信号を出力する第３スピーカー端子と、
前記第１増幅部からの第１拡張左音声信号を前記第１スピーカー端子に供給するか否かを切換える第１スイッチと、
前記第１増幅部からの第２拡張左音声信号を前記第２スピーカー端子に供給するか否かを切換える第２スイッチと、
前記第２増幅部からの第２拡張左音声信号を前記第２スピーカー端子に供給するか否かを切換える第３スイッチと、
前記第２増幅部からの第３拡張左音声信号を前記第３スピーカー端子に供給するか否かを切換える第４スイッチと、
前記第３デジタルアナログ変換器からの第２拡張左音声信号を、前記第２拡張左音声信号用プリアウト端子に供給するか否かを切換える第５スイッチと、
前記第１デジタルアナログ変換器からの第２拡張左音声信号を、前記第２拡張左音声信号用プリアウト端子に供給するか否かを切換える第６スイッチと、
前記第２デジタルアナログ変換器からの第２拡張左音声信号を、前記第２拡張左音声信号用プリアウト端子に供給するか否かを切換える第７スイッチと、
マルチチャンネル音声データに、第１拡張左音声信号、第２拡張左音声信号、又は、第３拡張左音声信号のいずれが含まれているかを判断するチャンネル判断部と、
第１拡張左音声信号、第２拡張左音声信号、及び、第３拡張左音声信号の全てが含まれていると判断された場合、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、前記５スイッチに、前記第３デジタルアナログ変換器からの第２拡張左音声信号を、前記第２拡張左音声信号用プリアウト端子に供給させ、第１拡張左音声信号、及び、第２拡張左音声信号のみが含まれていると判断された場合、前記第１スイッチに前記第１増幅部によって増幅された第１拡張左音声信号を前記第１スピーカー端子に供給させ、前記第３スイッチに前記第２増幅部によって増幅された第２拡張左音声信号を前記第２スピーカー端子に供給させ、前記第７スイッチに、前記第２デジタルアナログ変換器からの第２拡張左音声信号を、前記第２拡張左音声信号用プリアウト端子に供給させ、第２拡張左音声信号、及び、第３拡張左音声信号のみが含まれていると判断された場合、前記第２スイッチに前記第１増幅部によって増幅された第２拡張左音声信号を前記第２スピーカー端子に供給させ、前記第４スイッチに前記第２増幅部によって増幅された第３拡張左音声信号を前記第３スピーカー端子に供給させ、前記第６スイッチに、前記第１デジタルアナログ変換器からの第２拡張左音声信号を、前記第２拡張左音声信号用プリアウト端子に供給させる、切換制御部とを備える、音声処理装置。
【請求項２】
前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、
前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、
前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）、請求項１に記載の音声処理装置。
【発明の詳細な説明】
【技術分野】
【０００１】
本発明は、マルチチャンネル音声データを再生する音声処理装置に関する。
【背景技術】
【０００２】
ＢＤ（ブルーレイディスク）プレーヤと、ＡＶアンプと、ディスプレイ装置とを備える音声再生システムが利用されている。ＢＤプレーヤからＡＶアンプに送信される音声データは、マルチチャンネル音声データがエンコードされたものである。例えば、マルチチャンネル音声データは、図３に示すように、左音声信号Ｌ、右音声信号Ｒ、中央音声信号Ｃ、低域音声信号ＳＷ、サラウンド左音声信号ＳＬ、及び、サラウンド右音声信号ＳＲを含む。また、最近では、ＢＤプレーヤ等で使用されるDolby True HD、Dolby Digital Plus、DTS-HD等のＨＤ（High Definition）関連の音声フォーマットが登場してきており、これらのフォーマットにおいては、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨがさらに追加されている。
【０００３】
しかし、これらの全てのチャンネルの音声信号に対応するアンプをＡＶアンプに設けると、合計１１．１ｃｈ分のアンプを設けることになるので、コストが非常に高くなってしまう。また、上記の拡張チャンネルのいずれかに代えて（又は、上記の拡張チャンネルに加えて）、図１０に示すように左中央側音声信号ＬＣ、右中央側音声信号ＲＣが追加される場合も同様である。さらには、ＡＶアンプが、リスニングモードに応じて、ＤＳＰにおいて上記の拡張チャンネルを生成する場合も同様である。
【０００４】
この問題を解決するために、図１２に示す音声処理装置が考えられる。この音声処理装置によると、サラウンド後方左音声信号ＳＢＬ、及び、左上側音声信号ＬＨが含まれる場合、ＤＡＣ５１１ａからアンプ５１２ａにサラウンド後方左音声信号ＳＢＬを供給し、ＤＡＣ５１１ｂからアンプ５１２ｂに左上側音声信号ＬＨを供給させる。そして、スイッチＳ５１３ａ、Ｓ５１３ｄをオン状態に制御し、Ｓ５１３ｂ、Ｓ５１３ｃをオフ状態に制御することによって、アンプ５１２ａによって増幅されたサラウンド後方左音声信号ＳＢＬは、サラウンド後方左ＳＰ端子５１４ａに供給され、アンプ５１２ｂによって増幅された左上側音声信号ＬＨは、左上側ＳＰ端子５１４ｃに供給される。
【０００５】
サラウンド後方左音声信号ＳＢＬ、及び、左外側音声信号ＬＷが含まれる場合、ＤＡＣ５１１ａからアンプ５１２ａにサラウンド後方左音声信号ＳＢＬを供給し、ＤＡＣ５１１ｂからアンプ５１２ｂに左外側音声信号ＬＷを供給させる。そして、スイッチＳ５１３ａ、Ｓ５１３ｃをオン状態に制御し、Ｓ５１３ｂ、Ｓ５１３ｄをオフ状態に制御することによって、アンプ５１２ａによって増幅されたサラウンド後方左音声信号ＳＢＬは、サラウンド後方左ＳＰ端子５１４ａに供給され、アンプ５１２ｂによって増幅された左外側音声信号ＬＷは、左外側ＳＰ端子５１４ｂに供給される。また、プリアウト端子５１１ｄからも、左外側音声信号ＬＷが出力される。従って、プリアウト端子５１１ｄに他のアンプ装置を接続して、他のアンプ装置によって増幅された左外側音声信号ＬＷも再生することができる。
【０００６】
左外側音声信号ＬＷ、及び、左上側音声信号ＬＨが含まれる場合、ＤＡＣ５１１ａからアンプ５１２ａに左外側音声信号ＬＷを供給し、ＤＡＣ５１１ｂからアンプ５１２ｂに左上側音声信号ＬＨを供給させる。そして、スイッチＳ５１３ｂ、Ｓ５１３ｄをオン状態に制御し、Ｓ５１３ａ、Ｓ５１３ｃをオフ状態に制御することによって、アンプ５１２ａによって増幅された左外側音声信号ＬＷは、左外側ＳＰ端子５１４ｂに供給され、アンプ５１２ｂによって増幅された左上側音声信号ＬＨは、左上側ＳＰ端子５１４ｃに供給される。また、プリアウト端子５１１ｃからも、左外側音声信号ＬＷが出力される。従って、プリアウト端子５１１ｃに他のアンプ装置を接続して、他のアンプ装置によって増幅された左外側音声信号ＬＷも再生することができる。
【０００７】
ここで、この音声処理装置によると、サラウンド後方左音声信号ＳＢＬ、及び、左外側音声信号ＬＷが含まれる場合と、左外側音声信号ＬＷ、及び、左上側音声信号ＬＨが含まれる場合とで、上記の通り、左外側音声信号ＬＷが出力されるプリアウト端子が変動するという問題がある。つまり、マルチチャンネル音声データに含まれるチャンネルの組合わせに応じて、プリアウト端子に接続する他のアンプの入力端子を変更する必要が生じる。
【０００８】
ここで、例えば、もう１つのＤＡＣを設け、そのＤＡＣから常に左外側音声信号ＬＷを固定のプリアウト端子に供給すると、左外側音声信号ＬＷが出力されるプリアウト端子が変動するという問題を解決できる。しかし、音声処理装置には、例えば、ＺＯＮＥ２のＨＤＭＩ信号出力用等の他の用途でもＤＡＣを設ける必要があり、ＤＡＣの数が増加して、コストが増大するという問題がある。
【先行技術文献】
【特許文献】
【０００９】
【特許文献１】特開２０１１−２２９１１３号公報
【発明の概要】
【発明が解決しようとする課題】
【００１０】
本発明は上記従来の課題を解決するためになされたものであり、その目的は、第２拡張左音声信号（又は、第２拡張右音声信号）が出力されるプリアウト端子を固定することができ、かつ、デジタルアナログ変換器の数が増加することを防止する音声処理装置を提供することである。
【課題を解決するための手段】
【００１１】
本発明の好ましい実施形態による音声処理装置は、第１拡張左音声信号（又は第１拡張右音声信号）、又は、第２拡張左音声信号（又は第２拡張右音声信号）を増幅する第１増幅部と、第２拡張左音声信号、又は、第３拡張左音声信号（又は第３拡張右音声信号）を増幅する第２増幅部と、第１拡張左音声信号、又は、第２拡張左音声信号の一方を前記第１増幅部に供給する第１デジタルアナログ変換器と、第２拡張左音声信号、又は、第３拡張左音声信号の一方を前記第２増幅部に供給する第２デジタルアナログ変換器と、第２拡張左音声信号を、第２拡張左音声信号用プリアウト端子に出力する第３デジタルアナログ変換器と、第１拡張左音声信号を出力する第１スピーカー端子と、第２拡張左音声信号を出力する第２スピーカー端子と、第３拡張左音声信号を出力する第３スピーカー端子と、前記第１増幅部からの第１拡張左音声信号を前記第１スピーカー端子に供給するか否かを切換える第１スイッチと、前記第１増幅部からの第２拡張左音声信号を前記第２スピーカー端子に供給するか否かを切換える第２スイッチと、前記第２増幅部からの第２拡張左音声信号を前記第２スピーカー端子に供給するか否かを切換える第３スイッチと、前記第２増幅部からの第３拡張左音声信号を前記第３スピーカー端子に供給するか否かを切換える第４スイッチと、前記第３デジタルアナログ変換器からの第２拡張左音声信号を、前記第２拡張左音声信号用プリアウト端子に供給するか否かを切換える第５スイッチと、前記第１デジタルアナログ変換器からの第２拡張左音声信号を、前記第２拡張左音声信号用プリアウト端子に供給するか否かを切換える第６スイッチと、前記第２デジタルアナログ変換器からの第２拡張左音声信号を、前記第２拡張左音声信号用プリアウト端子に供給するか否かを切換える第７スイッチと、マルチチャンネル音声データに、第１拡張左音声信号、第２拡張左音声信号、又は、第３拡張左音声信号のいずれが含まれているかを判断するチャンネル判断部と、第１拡張左音声信号、第２拡張左音声信号、及び、第３拡張左音声信号の全てが含まれていると判断された場合、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、前記５スイッチに、前記第３デジタルアナログ変換器からの第２拡張左音声信号を、前記第２拡張左音声信号用プリアウト端子に供給させ、第１拡張左音声信号、及び、第２拡張左音声信号のみが含まれていると判断された場合、前記第１スイッチに前記第１増幅部によって増幅された第１拡張左音声信号を前記第１スピーカー端子に供給させ、前記第３スイッチに前記第２増幅部によって増幅された第２拡張左音声信号を前記第２スピーカー端子に供給させ、前記第７スイッチに、前記第２デジタルアナログ変換器からの第２拡張左音声信号を、前記第２拡張左音声信号用プリアウト端子に供給させ、第２拡張左音声信号、及び、第３拡張左音声信号のみが含まれていると判断された場合、前記第２スイッチに前記第１増幅部によって増幅された第２拡張左音声信号を前記第２スピーカー端子に供給させ、前記第４スイッチに前記第２増幅部によって増幅された第３拡張左音声信号を前記第３スピーカー端子に供給させ、前記第６スイッチに、前記第１デジタルアナログ変換器からの第２拡張左音声信号を、前記第２拡張左音声信号用プリアウト端子に供給させる、切換制御部とを備える。
【００１２】
第１拡張左音声信号、第２拡張左音声信号、及び、第３拡張左音声信号の全てが含まれていると判断された場合、第１スイッチに第１増幅部によって増幅された第１拡張左音声信号を第１スピーカー端子に供給させ、第４スイッチに第２増幅部によって増幅された第３拡張左音声信号を第３スピーカー端子に供給させ、第５スイッチに、第３デジタルアナログ変換器からの第２拡張左音声信号を、第２拡張左音声信号用プリアウト端子に供給させる。従って、第１拡張左音声信号、第２拡張左音声信号、及び、第３拡張左音声信号の全てを再生することができる。
【００１３】
第１拡張左音声信号、及び、第２拡張左音声信号のみが含まれていると判断された場合、第１スイッチに第１増幅部によって増幅された第１拡張左音声信号を第１スピーカー端子に供給させ、第３スイッチに第２増幅部によって増幅された第２拡張左音声信号を第２スピーカー端子に供給させ、第７スイッチに、第２デジタルアナログ変換器からの第２拡張左音声信号を、第２拡張左音声信号用プリアウト端子に供給させる。従って、第１拡張左音声信号、及び、第２拡張左音声信号を再生することができる。また、第２拡張左音声信号を第２拡張左音声信号用プリアウト端子に供給するデジタルアナログ変換器として第２デジタルアナログ変換器が使用されるので、第３デジタルアナログ変換器を別の信号用に使用することができる。従って、デジタルアナログ変換器の数を増やすことを防止できる。
【００１４】
第２拡張左音声信号、及び、第３拡張左音声信号のみが含まれていると判断された場合、第２スイッチに第１増幅部によって増幅された第２拡張左音声信号を第２スピーカー端子に供給させ、第４スイッチに第２増幅部によって増幅された第３拡張左音声信号を第３スピーカー端子に供給させ、第６スイッチに、第１デジタルアナログ変換器からの第２拡張左音声信号を、第２拡張左音声信号用プリアウト端子に供給させる。従って、第２拡張左音声信号、及び、第３拡張左音声信号を再生することができる。また、第２拡張左音声信号を第２拡張左音声信号用プリアウト端子に供給するデジタルアナログ変換器として第１デジタルアナログ変換器が使用されるので、第３デジタルアナログ変換器を別の信号用に使用することができる。従って、デジタルアナログ変換器の数を増やすことを防止できる。以上のように、本実施形態によると、第２拡張左音声信号を出力するプリアウト端子として、第２拡張左音声信号用プリアウト端子に固定することができる。
【００１５】
好ましい実施形態においては、前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）。
【発明の効果】
【００１６】
第２拡張左音声信号が出力されるプリアウト端子を固定することができ、かつ、デジタルアナログ変換器の数が増加することを防止する音声処理装置を提供することができる。
【図面の簡単な説明】
【００１７】
【図１】ＡＶアンプ及びスピーカーの配置を示す図である。
【図２】音声再生システムを示す図である。
【図３】音声信号のチャンネルを示す図である。
【図４】音声処理部を示す図である。
【図５】音声処理部を示す図である。
【図６】制御部の処理を示すフローチャートである。
【図７】制御部の処理を示すフローチャートである。
【図８】音声処理部を示す図である。
【図９】音声処理部を示す図である。
【図１０】音声信号のチャンネルを示す図である。
【図１１】音声処理部を示す図である。
【図１２】背景技術で説明する音声処理部を示す図である。
【発明を実施するための形態】
【００１８】
以下、本発明の好ましい実施形態によるディスク再生装置（以下、ＢＤプレーヤという。）、音声処理装置（以下、ＡＶアンプという。）及びディスプレイ装置を備える音声再生システムついて、図面を参照して具体的に説明するが、本発明はこれらの実施形態には限定されない。図１は、ＡＶアンプ１、及び、各スピーカーの配置の一例を説明する図である。ＡＶアンプ１には、左スピーカーＳＬ、右スピーカーＳＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬ、サラウンド後方右スピーカーＳＳＢＲ、左上側スピーカーＳＬＨ、右上側スピーカーＳＲＨ、左外側スピーカーＳＬＷ、右外側スピーカーＳＲＷが接続されている。
【００１９】
図２は、音声再生システムの構成を示すブロック図である。ＢＤプレーヤ１００、ＡＶアンプ１及びディスプレイ装置２００は、例えばＨＤＭＩ規格に準拠し、ＨＤＭＩケーブルを介して相互に接続されている。ＢＤプレーヤ１００は、マルチチャンネル音声データ及び映像データを含むＨＤＭＩデータをＡＶアンプ１に送信する。ＡＶアンプ１は、ＢＤプレーヤ１００から受信したＨＤＭＩデータに含まれるマルチチャンネル音声データを増幅してスピーカーに出力する。また、ＡＶアンプ１は、映像データを含むＨＤＭＩデータをディスプレイ装置２００に送信する。ディスプレイ装置２００は、ＡＶアンプ１から受信したＨＤＭＩデータに含まれる映像データを表示する。
【００２０】
ＡＶアンプ１は、制御部２と、ＨＤＭＩ受信部３と、ＨＤＭＩ送信部４と、音声処理部５と、操作部６と、表示部７と、ＨＤＭＩ端子８，９とを有している。ＡＶアンプ１には、スピーカー３００（図１の各スピーカーに相当）が接続されている。
【００２１】
ＨＤＭＩ受信部３は、ＢＤプレーヤ１００から送信されたＨＤＭＩデータを受信して、受信したＨＤＭＩデータから元の映像データを生成し、ＨＤＭＩ送信部４に供給する。また、ＨＤＭＩ受信部３は、受信したＨＤＭＩデータから元のマルチチャンネル音声データを生成して、音声処理部５に供給する。
【００２２】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカー３００に各チャンネルの音声信号を供給する。音声処理部５に供給されるマルチチャンネル音声データについて説明する。Dolby True HD、Dolby Digital Plus、DTS-HD等のＨＤ（High Definition）関連の音声フォーマットにおいては、図３に示すように、例えば、左音声信号Ｌ（前方左音声信号）、右音声信号Ｒ（前方右音声信号）、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨ等が含まれる。
【００２３】
サラウンド後方左音声信号ＳＢＬは、ユーザの後方左側の位置から再生される音声信号である。サラウンド後方右音声信号ＳＢＲは、ユーザの後方右側の位置から再生される音声信号である。左外側音声信号ＬＷは、左音声信号Ｌの外側（左側）の位置（つまりユーザの前方左外側）から再生される音声信号である。右外側音声信号ＲＷは、右音声信号Ｒの外側（右）の位置（つまりユーザの前方右外側）から再生される音声信号である。左上側音声信号ＬＨは、左音声信号Ｌの上側の位置（つまりユーザの前方左上側）から再生される音声信号である。右上側音声信号ＲＨは、右音声信号Ｒの上側の位置（つまりユーザの前方右上側）から再生される音声信号である。
【００２４】
図４、図５は、音声処理部５の要部を示すブロック図である。図４は左チャンネルに関する構成を示し、図５は右チャンネルに関する構成を示す。音声処理部５は、プリアウト部１１と、パワーアンプ１２と、ＳＰ（スピーカー）リレー１３と、ＳＰ（スピーカー）端子１４とを有する。図４、図５においては、基本の５．１ｃｈ分（左音声信号Ｌ、右音声信号Ｒ、中央音声信号Ｃ、低域音声信号ＳＷ、サラウンド左音声信号ＳＬ、サラウンド右音声信号ＳＲ）に関する各回路については従来と同じであるので省略している。また、プリアウト部１１の前段に設けられるＤＳＰ等についても省略している。
【００２５】
ＤＳＰは、ＨＤＭＩ受信部３から供給されるマルチチャンネル音声データをデコードし、各チャンネルの音声データを生成する。生成された音声データは、プリアウト部１１に供給される。
【００２６】
プリアウト部１１は、ＤＡＣ（デジタル−アナログ変換器）１１ａ、１１ｂ、１１ｃ、１１ｅ、１１ｆ、１１ｇと、スイッチＳ１１ａ〜Ｓ１１ｆと、左外側プリアウト端子１１ｄ、右外側プリアウト端子１１ｈとを有する。
【００２７】
ＤＡＣ１１ａは、ＤＳＰから、サラウンド後方左音声信号ＳＢＬまたは左外側音声信号ＬＷの一方が選択的に入力され、入力された信号をデジタル−アナログ変換する。ＤＡＣ１１ａは、サラウンド後方左音声信号ＳＢＬまたは左外側音声信号ＬＷの一方を、アンプ１２ａおよびスイッチＳ１１ｂに供給する。
【００２８】
ＤＡＣ１１ｂは、ＤＳＰから、左上側音声信号ＬＨまたは左外側音声信号ＬＷの一方が選択的に入力され、入力された信号をデジタル−アナログ変換する。ＤＡＣ１１ｂは、左上側音声信号ＬＨまたは左外側音声信号ＬＷの一方を、アンプ１２ｂおよびスイッチＳ１１ｃに供給する。
【００２９】
ＤＡＣ１１ｃは、ＤＳＰから、左外側音声信号ＬＷが入力され、入力された信号をデジタル−アナログ変換する。ＤＡＣ１１ｃは、入力される左外側音声信号ＬＷを、スイッチＳ１１ａに供給する。
【００３０】
スイッチＳ１１ａは、ＤＡＣ１１ｃから入力される左外側音声信号ＬＷを左外側プリアウト端子１１ｄに出力するか否かを切換える。スイッチＳ１１ｂは、ＤＡＣ１１ａから入力される左外側音声信号ＬＷを左外側プリアウト端子１１ｄに出力するか否かを切換える。スイッチＳ１１ｃは、ＤＡＣ１１ｂから入力される左外側音声信号ＬＷを左外側プリアウト端子１１ｄに出力するか否かを切換える。スイッチＳ１１ａ〜Ｓ１１ｃは、制御部２からの指示に応じていずれか１つがオン状態とされる。
【００３１】
ＤＡＣ１１ｅは、ＤＳＰから、サラウンド後方右音声信号ＳＢＲまたは右外側音声信号ＲＷの一方が選択的に入力され、入力された信号をデジタル−アナログ変換する。ＤＡＣ１１ｅは、サラウンド後方右音声信号ＳＢＲまたは右外側音声信号ＲＷの一方を、アンプ１２ｃおよびスイッチＳ１１ｅに供給する。
【００３２】
ＤＡＣ１１ｆは、ＤＳＰから、右上側音声信号ＲＨまたは右外側音声信号ＲＷの一方が選択的に入力され、入力された信号をデジタル−アナログ変換する。ＤＡＣ１１ｆは、右上側音声信号ＲＨまたは右外側音声信号ＲＷの一方を、アンプ１２ｄおよびスイッチＳ１１ｆに供給する。
【００３３】
ＤＡＣ１１ｇは、ＤＳＰから、右外側音声信号ＲＷが入力され、入力された信号をデジタル−アナログ変換する。ＤＡＣ１１ｇは、入力される右外側音声信号ＲＷを、スイッチＳ１１ｄに供給する。
【００３４】
スイッチＳ１１ｄは、ＤＡＣ１１ｇから入力される右外側音声信号ＬＷを右外側プリアウト端子１１ｈに出力するか否かを切換える。スイッチＳ１１ｅは、ＤＡＣ１１ｅから入力される右外側音声信号ＲＷを右外側プリアウト端子１１ｈに出力するか否かを切換える。スイッチＳ１１ｆは、ＤＡＣ１１ｆから入力される右外側音声信号ＲＷを右外側プリアウト端子１１ｈに出力するか否かを切換える。スイッチＳ１１ｄ〜Ｓ１１ｆは、制御部２からの指示に応じていずれか１つがオン状態とされる。
【００３５】
パワーアンプ１２は、アンプ１２ａ〜１２ｄを有する。アンプ１２ａは、ＤＡＣ１１ａからから供給されるサラウンド後方左音声信号ＳＢＬ、又は、左外側音声信号ＬＷを増幅してＳＰリレー１３（スイッチＳ１３ａ、Ｓ１３ｂ）に供給する。アンプ１２ｂは、ＤＡＣ１１ｂから供給される左上側音声信号ＬＨ、又は、左外側音声信号ＬＷを増幅してＳＰリレー１３（スイッチＳ１３ｃ、Ｓ１３ｄ）に供給する。
【００３６】
アンプ１２ｃは、ＤＡＣ１１ｅから供給されるサラウンド後方右音声信号ＳＢＲ、又は、右外側音声信号ＲＷを増幅してＳＰリレー１３（スイッチＳ１３ｅ、Ｓ１３ｆ）に供給する。アンプ１２ｄは、ＤＡＣ１１ｆから供給される右上側音声信号ＲＨ、又は、右外側音声信号ＲＷを増幅してＳＰリレー１３（スイッチＳ１３ｇ、Ｓ１３ｈ）に供給する。
【００３７】
ＳＰリレー１３は、リレースイッチ（以下スイッチという。）Ｓ１３ａ〜Ｓ１３ｈを有する。スイッチＳ１３ａは、アンプ１２ａから供給されるサラウンド後方左音声信号ＳＢＬを、サラウンド後方左ＳＰ端子１４ａに供給するか否かを切り換える。スイッチＳ１３ｂは、アンプ１２ａから供給される左外側音声信号ＬＷを、左外側ＳＰ端子１４ｂに供給するか否かを切り換える。スイッチＳ１３ｃは、アンプ１２ｂから供給される左外側音声信号ＬＷを、左外側ＳＰ端子１４ｂに供給するか否かを切り換える。スイッチＳ１３ｄは、アンプ１２ｂから供給される左上側音声信号ＬＨを、左上側ＳＰ端子１４ｃに供給するか否かを切り換える。スイッチ１３ａ〜Ｓ１３ｄは、マルチチャンネル音声データに含まれるチャンネルに応じて切換えられる。
【００３８】
スイッチＳ１３ｅは、アンプ１２ｃから供給されるサラウンド後方右音声信号ＳＢＲを、サラウンド後方右ＳＰ端子１４ｄに供給するか否かを切り換える。スイッチＳ１３ｆは、アンプ１２ｃから供給される右外側音声信号ＲＷを、右外側ＳＰ端子１４ｅに供給するか否かを切り換える。スイッチＳ１３ｇは、アンプ１２ｄから供給される右外側音声信号ＲＷを、右外側ＳＰ端子１４ｅに供給するか否かを切り換える。スイッチＳ１３ｈは、アンプ１２ｄから供給される右上側音声信号ＲＨを、右上側ＳＰ端子１４ｆに供給するか否かを切り換える。スイッチＳ１３ｅ〜Ｓ１３ｈは、マルチチャンネル音声データに含まれるチャンネルに応じて切換えられる。
【００３９】
ＳＰ端子１４は、ＳＰ端子１４ａ〜１４ｆを有する。サラウンド後方左ＳＰ端子１４ａにはサラウンド後方左スピーカーＳＳＢＬが接続される。左外側ＳＰ端子１４ｂには左外側スピーカーＳＬＷが接続される。左上側ＳＰ端子１４ｃには左上側スピーカーＳＬＨが接続される。サラウンド後方右ＳＰ端子１４ｄにはサラウンド後方右スピーカーＳＳＢＲが接続される。右外側ＳＰ端子１４ｅには右外側スピーカーＳＲＷが接続される。右上側ＳＰ端子１４ｆには右上側スピーカーＳＲＨが接続される。
【００４０】
図２に戻り、ＨＤＭＩ送信部４は、ＨＤＭＩ受信部３から供給された映像データを、ＨＤＭＩデータに変換し、ディスプレイ装置２００に送信する。
【００４１】
制御部２は、内蔵又は接続された図示しないメモリに記憶されているＡＶアンプの動作プログラムに基づいて、各部を制御するものであり、例えば、マイクロコンピュータやＣＰＵ等である。制御部２は、マルチチャンネル音声データに含まれるチャンネル（つまり、再生すべきチャンネル）を判別し、ＤＳＰからＤＡＣ１１ａ〜１１ｃ、１１ｅ〜１１ｇに供給する音声信号、および、スイッチＳ１１ａ〜Ｓ１１ｆ、Ｓ１３ａ〜Ｓ１３ｈを切換制御する。（なお、マルチチャンネル音声データは、ＢＤ１００プレーヤから受信する音声データに限定されず、ＤＳＰが生成して出力する音声データであってもよい。）
【００４２】
つまり、サラウンド後方左音声信号ＳＢＬが含まれていると判断された場合、制御部２は、スイッチＳ１３ａにアンプ１２ａによって増幅されたサラウンド後方左音声信号ＳＢＬをＳＰ端子１４ａに供給させる。左外側音声信号ＬＷが含まれていると判断された場合、制御部２は、スイッチＳ１３ｂにアンプ１２ａによって増幅された左外側音声信号ＬＷをＳＰ端子１４ｂに供給させ、又は、スイッチＳ１３ｃにアンプ１２ｂによって増幅された左外側音声信号ＬＷをＳＰ端子１４ｂに供給させる。左上側音声信号ＬＨが含まれていると判断された場合、制御部２は、スイッチＳ１３ｄにアンプ１２ｂによって増幅された左上側音声信号ＬＨをＳＰ端子１４ｃに供給させる。各右信号についても同様である。
【００４３】
また、左外側音声信号ＬＷが含まれていると判断された場合、制御部２は、スイッチＳ１１ａ〜Ｓ１１ｃのいずれかをオン状態にし、左外側音声信号ＬＷを左外側プリアウト端子１１ｄに供給させる。右外側音声信号ＲＷについても同様である。
【００４４】
ＨＤＭＩ受信部３は、ＨＤＭＩデータから元のマルチチャンネル音声データを生成し、音声処理部５に供給する。音声処理部５は、マルチチャンネル音声データをデコードし、その情報領域に含まれているチャンネル情報を読み出して、制御部２に供給する。
【００４５】
以下、本発明の動作を説明する。図６は、制御部２のプリアウト部１１の切換処理を示すフローチャートである。図７は、制御部２のＳＰリレー切換処理を示すフローチャートである。なお、本例では各左チャンネルのみについて説明するが、各右チャンネルについても同様である。制御部２は、サラウンド後方左音声信号ＳＢＬ、左上側音声信号ＬＨ、および、左外側音声信号ＬＷのうち、供給されるマルチチャンネル音声データに含まれる入力信号のチャンネル情報を判断する。つまり、制御部２は、サラウンド後方左音声信号ＳＢＬ、左上側音声信号ＬＨ、および、左外側音声信号ＬＷのうち、再生すべきチャンネルを判断する。
【００４６】
［ＳＢＬ、ＬＨ、ＬＷの全てが含まれるとき］
図６に示すように、制御部２は、サラウンド後方左音声信号ＳＢＬ、左上側音声信号ＬＨ、および、左外側音声信号ＬＷの全てが含まれているか、すなわち、これらの信号の全てを再生するか否かを判断する（Ｓ１）。Ｓ１でＮＯと判断された場合、処理はＳ４に進む。一方、これらの全てを再生すると判断された場合（Ｓ１でＹＥＳ）、制御部２は、ＤＳＰからＤＡＣ１１ａにサラウンド後方左音声信号ＳＢＬを入力させ、ＤＳＰからＤＡＣ１１ｂに左上側音声信号ＬＨを入力させ、ＤＳＰからＤＡＣ１１ｃに左外側音声信号ＬＷを入力させる（Ｓ２）。さらに、制御部２は、スイッチ１１ａをオン状態に制御し、スイッチ１１ｂ、１１ｃをオフ状態に制御する（Ｓ３）。
【００４７】
図７に示すように、制御部２は、サラウンド後方左音声信号ＳＢＬ、左上側音声信号ＬＨ、および、左外側音声信号ＬＷの全てが含まれているか、すなわち、これらの信号の全てを再生するか否かを判断する（Ｓ２１）。Ｓ２１でＮＯと判断された場合、処理はＳ２３に進む。一方、これらの全てを再生すると判断された場合（Ｓ２１でＹＥＳ）、制御部２は、スイッチＳ１３ａ、Ｓ１３ｄをオン状態に、Ｓ１３ｂ、Ｓ１３ｃをオフ状態に制御する（Ｓ２２）。
【００４８】
その結果、サラウンド後方左音声信号ＳＢＬは、アンプ１２ａで増幅され、スイッチＳ１３ａを介して、サラウンド後方左ＳＰ端子１４ａに出力される。左上側音声信号ＬＨは、アンプ１２ｂで増幅され、スイッチＳ１３ｄを介して、左上側ＳＰ端子１４ｃに供給される。左外側音声信号ＬＷは、ＤＡＣ１１ｃからスイッチＳ１１ａを介して、左外側プリアウト端子１１ｄに供給される。
【００４９】
［ＳＢＬ、ＬＨのみが含まれるとき］
図６に示すように、制御部２は、サラウンド後方左音声信号ＳＢＬ、および、左上側音声信号ＬＨのみが含まれているか、すなわち、これらの信号のみを再生するか否かを判断する（Ｓ４）。Ｓ４でＮＯと判断された場合、処理はＳ６に進む。一方、これらの信号のみを再生すると判断された場合（Ｓ４でＹＥＳ）、制御部２は、ＤＳＰからＤＡＣ１１ａにサラウンド後方左音声信号ＳＢＬを入力させ、ＤＳＰからＤＡＣ１１ｂに左上側音声信号ＬＨを入力させる（Ｓ５）。ＤＳＰからＤＡＣ１１ｃに左外側音声信号ＬＷを入力させない。さらに、制御部２は、スイッチ１１ａ、１１ｂ、１１ｃをオフ状態に制御する。
【００５０】
図７に示すように、制御部２は、サラウンド後方左音声信号ＳＢＬ、および、左上側音声信号ＬＨのみが含まれているか、すなわち、これらの信号のみを再生するか否かを判断する（Ｓ２３）。Ｓ２３でＮＯと判断された場合、処理はＳ２５に進む。一方、これらの信号のみを再生すると判断された場合（Ｓ２３でＹＥＳ）、制御部２は、スイッチＳ１３ａ、Ｓ１３ｄをオン状態に、Ｓ１３ｂ、Ｓ１３ｃをオフ状態に制御する（Ｓ２４）。
【００５１】
その結果、サラウンド後方左音声信号ＳＢＬは、アンプ１２ａで増幅され、スイッチＳ１３ａを介して、サラウンド後方左ＳＰ端子１４ａに出力される。左上側音声信号ＬＨは、アンプ１２ｂで増幅され、スイッチＳ１３ｄを介して、左上側ＳＰ端子１４ｃに供給される。
【００５２】
［ＳＢＬ、ＬＷのみが含まれるとき］
図６に示すように、制御部２は、サラウンド後方左音声信号ＳＢＬ、および、左外側音声信号ＬＷのみが含まれているか、すなわち、これらの信号のみを再生するか否かを判断する（Ｓ６）。Ｓ６でＮＯと判断された場合、処理はＳ９に進む。一方、これらの信号のみを再生すると判断された場合（Ｓ６でＹＥＳ）、制御部２は、ＤＳＰからＤＡＣ１１ａにサラウンド後方左音声信号ＳＢＬを入力させ、ＤＳＰからＤＡＣ１１ｂに左外側音声信号ＬＷを入力させる（Ｓ７）。ＤＳＰからＤＡＣ１１ｃに左外側音声信号ＬＷを入力させない。さらに、制御部２は、スイッチＳ１１ｃをオン状態に制御し（Ｓ８）、スイッチＳ１１ａ、Ｓ１１ｂをオフ状態に制御する。
【００５３】
図７に示すように、制御部２は、サラウンド後方左音声信号ＳＢＬ、および、左外側音声信号ＬＷのみが含まれているか、すなわち、これらの信号のみを再生するか否かを判断する（Ｓ２５）。Ｓ２５でＮＯと判断された場合、処理はＳ２７に進む。一方、これらの信号のみを再生すると判断された場合（Ｓ２５でＹＥＳ）、制御部２は、スイッチＳ１３ａ、Ｓ１３ｃをオン状態に制御し、Ｓ１３ｂ、Ｓ１３ｄをオフ状態に制御する（Ｓ２６）。
【００５４】
その結果、サラウンド後方左音声信号ＳＢＬは、アンプ１２ａで増幅され、スイッチＳ１３ａを介して、サラウンド後方左ＳＰ端子１４ａに出力される。左外側音声信号ＬＷは、アンプ１２ｂで増幅され、スイッチＳ１３ｃを介して、左外側ＳＰ端子１４ｂに供給される。また、左外側音声信号ＬＷは、ＤＡＣ１１ｂからスイッチＳ１１ｃを介して、左外側プリアウト端子１１ｄに供給される。ここで、左外側プリアウト端子１１ｄに左外側音声信号ＬＷを供給するために、ＤＡＣ１１ｃを使用せずに、ＤＡＣ１１ｂを使用している。従って、ＤＡＣ１１ｃを他の信号（例えば、ＺＯＮＥ２のＨＤＭＩ信号）用に使用することが可能となるという効果が得られる。
【００５５】
［ＬＨ、ＬＷのみが含まれるとき］
図６に示すように、制御部２は、左上側音声信号ＬＨ、および、左外側音声信号ＬＷのみが含まれているか、すなわち、これらの信号のみを再生するか否かを判断する（Ｓ９）。Ｓ９でＮＯと判断された場合、処理はＳ１２に進む。一方、これらの信号のみを再生すると判断された場合（Ｓ９でＹＥＳ）、制御部２は、ＤＳＰからＤＡＣ１１ａに左外側音声信号ＬＷを入力させ、ＤＳＰからＤＡＣ１１ｂに左上側音声信号ＬＨを入力させる（Ｓ１０）。ＤＳＰからＤＡＣ１１ｃに左外側音声信号ＬＷを入力させない。さらに、制御部２は、スイッチＳ１１ｂをオン状態に制御し（Ｓ１１）、スイッチＳ１１ａ、Ｓ１１ｃをオフ状態に制御する。
【００５６】
図７に示すように、制御部２は、左上側音声信号ＬＨ、および、左外側音声信号ＬＷのみが含まれているか、すなわち、これらの信号のみを再生するか否かを判断する（Ｓ２７）。Ｓ２７でＮＯと判断された場合、処理はＳ２９に進む。一方、これらの信号のみを再生すると判断された場合（Ｓ２７でＹＥＳ）、制御部２は、スイッチＳ１３ｂ、Ｓ１３ｄをオン状態に制御し、Ｓ１３ａ、Ｓ１３ｃをオフ状態に制御する（Ｓ２６）。
【００５７】
その結果、左外側音声信号ＬＷは、アンプ１２ａで増幅され、スイッチＳ１３ｂを介して、左外側ＳＰ端子１４ｂに出力される。左上側音声信号ＬＨは、アンプ１２ｂで増幅され、スイッチＳ１３ｄを介して、左上側ＳＰ端子１４ｃに供給される。また、左外側音声信号ＬＷは、ＤＡＣ１１ａからスイッチＳ１１ｂを介して、左外側プリアウト端子１１ｄに供給される。ここで、左外側プリアウト端子１１ｄに左外側音声信号ＬＷを供給するために、ＤＡＣ１１ｃを使用せずに、ＤＡＣ１１ａを使用している。従って、ＤＡＣ１１ｃを他の信号（例えば、ＺＯＮＥ２のＨＤＭＩ信号）用に使用することが可能となるという効果が得られる。
【００５８】
［ＳＢＬのみが含まれるとき］
図６に示すように、制御部２は、サラウンド後方左音声信号ＳＢＬのみが含まれているか、すなわち、この信号のみを再生するか否かを判断する（Ｓ１２）。Ｓ１２でＮＯと判断された場合、処理はＳ１４に進む。一方、この信号のみを再生すると判断された場合（Ｓ１２でＹＥＳ）、制御部２は、ＤＳＰからＤＡＣ１１ａにサラウンド後方左音声信号ＳＢＬを入力させる（Ｓ１３）。ＤＳＰからＤＡＣ１１ｃに左外側音声信号ＬＷを入力させない。さらに、制御部２は、スイッチ１１ａ、１１ｂ、１１ｃをオフ状態に制御する。
【００５９】
図７に示すように、制御部２は、サラウンド後方左音声信号ＳＢＬのみが含まれているか、すなわち、この信号のみを再生するか否かを判断する（Ｓ２９）。Ｓ２９でＮＯと判断された場合、処理はＳ３１に進む。一方、この信号のみを再生すると判断された場合（Ｓ２９でＹＥＳ）、制御部２は、スイッチＳ１３ａをオン状態に制御し、Ｓ１３ｂ、Ｓ１３ｃ、Ｓ１３ｄをオフ状態に制御する（Ｓ３０）。
【００６０】
その結果、サラウンド後方左音声信号ＳＢＬは、アンプ１２ａで増幅され、スイッチＳ１３ａを介して、サラウンド後方左ＳＰ端子１４ａに出力される。
【００６１】
［ＬＨのみが含まれるとき］
図６に示すように、制御部２は、左上側音声信号ＬＨのみが含まれているか、すなわち、この信号のみを再生するか否かを判断する（Ｓ１４）。Ｓ１４でＮＯと判断された場合、処理はＳ１６に進む。一方、この信号のみを再生すると判断された場合（Ｓ１４でＹＥＳ）、制御部２は、ＤＳＰからＤＡＣ１１ｂに左上側音声信号ＬＨを入力させる（Ｓ１５）。ＤＳＰからＤＡＣ１１ｃに左外側音声信号ＬＷを入力させない。さらに、制御部２は、スイッチ１１ａ、１１ｂ、１１ｃをオフ状態に制御する。
【００６２】
図７に示すように、制御部２は、左上側音声信号ＬＨのみが含まれているか、すなわち、この信号のみを再生するか否かを判断する（Ｓ３１）。Ｓ３１でＮＯと判断された場合、処理はＳ３３に進む。一方、この信号のみを再生すると判断された場合（Ｓ３１でＹＥＳ）、制御部２は、スイッチＳ１３ｄをオン状態に制御し、Ｓ１３ａ、Ｓ１３ｂ、Ｓ１３ｃをオフ状態に制御する（Ｓ３２）。
【００６３】
その結果、左上側音声信号ＬＨは、アンプ１２ｂで増幅され、スイッチＳ１３ｄを介して、左上側ＳＰ端子１４ｃに供給される。
【００６４】
［ＬＷのみが含まれるとき（１）］
図６に示すように、制御部２は、左外側音声信号ＬＷのみが含まれているか、すなわち、この信号のみを再生するか否かを判断する（Ｓ１６）。Ｓ１６でＮＯと判断された場合、処理はＳ１に戻る。一方、この信号のみを再生すると判断された場合（Ｓ１６でＹＥＳ）、制御部２は、ＤＳＰからＤＡＣ１１ａに左外側音声信号ＬＷを入力させる（Ｓ１７）。ＤＳＰからＤＡＣ１１ｃに左外側音声信号ＬＷを入力させない。さらに、制御部２は、スイッチＳ１１ｂをオン状態に制御し（Ｓ１８）、スイッチ１１ａ、１１ｃをオフ状態に制御する。
【００６５】
図７に示すように、制御部２は、左外側音声信号ＬＷのみが含まれているか、すなわち、この信号のみを再生するか否かを判断する（Ｓ３３）。Ｓ３３でＮＯと判断された場合、処理はＳ２１に戻る。一方、この信号のみを再生すると判断された場合（Ｓ３３でＹＥＳ）、制御部２は、スイッチＳ１３ｂをオン状態に制御し、Ｓ１３ａ、Ｓ１３ｃ、Ｓ１３ｄをオフ状態に制御する（Ｓ３４）。
【００６６】
その結果、左外側音声信号ＬＷは、アンプ１２ａで増幅され、スイッチＳ１３ｂを介して、左外側ＳＰ端子１４ｂに出力される。また、左外側音声信号ＬＷは、ＤＡＣ１１ａからスイッチＳ１１ｂを介して、左外側プリアウト端子１１ｄに供給される。ここで、左外側プリアウト端子１１ｄに左外側音声信号ＬＷを供給するために、ＤＡＣ１１ｃを使用せずに、ＤＡＣ１１ａを使用している。従って、ＤＡＣ１１ｃを他の信号（例えば、ＺＯＮＥ２のＨＤＭＩ信号）用に使用することが可能となるという効果が得られる。
【００６７】
［ＬＷのみが含まれるとき（２）］
なお、Ｓ１７、Ｓ１８、Ｓ３４に代えて以下のように処理することもできる。左外側音声信号ＬＷのみが含まれている、すなわち、この信号のみを再生すると判断された場合、制御部２は、ＤＳＰからＤＡＣ１１ｂに左外側音声信号ＬＷを入力させる。ＤＳＰからＤＡＣ１１ｃに左外側音声信号ＬＷを入力させない。さらに、制御部２は、スイッチＳ１１ｃをオン状態に制御し、スイッチ１１ａ、１１ｂをオフ状態に制御する。
【００６８】
制御部２は、左外側音声信号ＬＷのみが含まれている、すなわち、この信号のみを再生すると判断された場合、スイッチＳ１３ｃをオン状態に制御し、Ｓ１３ａ、Ｓ１３ｂ、Ｓ１３ｄをオフ状態に制御する。
【００６９】
その結果、左外側音声信号ＬＷは、アンプ１２ｂで増幅され、スイッチＳ１３ｃを介して、左外側ＳＰ端子１４ｂに出力される。また、左外側音声信号ＬＷは、ＤＡＣ１１ｂからスイッチＳ１１ｃを介して、左外側プリアウト端子１１ｄに供給される。ここで、左外側プリアウト端子１１ｄに左外側音声信号ＬＷを供給するために、ＤＡＣ１１ｃを使用せずに、ＤＡＣ１１ｂを使用している。従って、ＤＡＣ１１ｃを他の信号（例えば、ＺＯＮＥ２のＨＤＭＩ信号）用に使用することが可能となるという効果が得られる。
【００７０】
以上の処理によって、音声処理部５から供給されるマルチチャンネル音声データに含まれる入力信号のチャンネル情報の違いによって、左外側音声信号ＬＷが出力されるプリアウト端子が変動することが防止され、必ず、左外側プリアウト端子１１ｄから出力することができる。さらに、左外側プリアウト端子１１ｄに左外側音声信号ＬＷを供給するために、ＤＡＣ１１ｃを使用しないので、ＤＡＣ１１ｃを他の信号（例えば、ＺＯＮＥ２のＨＤＭＩ信号）用に使用することが可能となる。
【００７１】
次に本発明の別の好ましい実施形態を説明する。図８に示すように、本例では、左外側音声信号ＬＷと左上側音声信号ＬＨとを入れ替え、右外側音声信号ＲＷと右上側音声信号ＲＨとを入れ替えた回路構成としてもよい。図９に示すように、本例では、左外側音声信号ＬＷとサラウンド後方左音声信号ＳＢＬとを入れ替え、右外側音声信号ＲＷとサラウンド後方右音声信号ＳＢＲとを入れ替えた回路構成としてもよい。
【００７２】
次に本発明のさらに別の好ましい実施形態を説明する。図１０に示すように、本例では、左外側音声信号ＬＷに代えて（又は加えて）左中央側音声信号ＬＣが存在し、右外側音声信号ＲＷに代えて（又は加えて）右中央側音声信号ＲＣが存在する。左中央側音声信号ＬＣは、左音声信号Ｌと中央音声信号Ｃとの間の位置から再生される音声信号である。右中央側音声信号ＲＣは、右音声信号Ｒと中央音声信号Ｃとの間の位置から再生される音声信号である。この場合に、図１１に示すように、左外側音声信号ＬＷを左中央側音声信号ＬＣに置き換え、右外側音声信号ＲＷを右中央側音声信号ＲＣに置き換えた回路構成が採用されるとよい。
【００７３】
これらを踏まえて上記実施形態を一般的に表現すると、サラウンド後方左音声信号ＳＢＬを第１拡張左音声信号と定義し、サラウンド後方右音声信号ＳＢＲを第１拡張右音声信号と定義し、左外側音声信号ＬＷを第２拡張左音声信号と定義し、右外側音声信号ＲＷを第２拡張右音声信号と定義し、左上側音声信号ＬＨを第３拡張左音声信号と定義し、右上側音声信号ＲＨを第３拡張右音声信号と定義する。
【００７４】
そして、第１拡張左音声信号は、サラウンド後方左音声信号ＳＢＬ、左外側音声信号ＬＷ、左上側音声信号ＬＨおよび左中央側音声信号ＬＣのいずれかであればよい。第２拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号と異なるチャンネルであればよい。第３拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号および第２拡張左音声信号と異なるチャンネルであればよい。
【００７５】
同様に、第１拡張右音声信号は、サラウンド後方右音声信号ＳＢＲ、右外側音声信号ＲＷ、右上側音声信号ＲＨおよび右中央側音声信号ＲＣのいずれかであればよい。第２拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張右音声信号と異なるチャンネルの信号であればよい。第３拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張左音声信号および第２拡張左音声信号と異なるチャンネルの信号であればよい。
【００７６】
また、本発明にとって最低限必須であるのは、第１拡張左音声信号、第２拡張左音声信号および第３拡張左音声信号の内、選択される音声信号を増幅する構成、および、第１拡張右音声信号、第２拡張右音声信号および第３拡張右音声信号の内、選択される音声信号を増幅する構成の少なくとも一方である。つまり、第１拡張左音声信号、第２拡張左音声信号および第３拡張左音声信号の内、選択される音声信号を増幅する構成、および、第１拡張右音声信号、第２拡張右音声信号および第３拡張右音声信号の内、選択される音声信号を増幅する構成の両方を備える必要はない。
【００７７】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００７８】
本発明は、ＡＶアンプ等に好適に採用され得る。
【符号の説明】
【００７９】
１            ＡＶアンプ
２            制御部
５            音声処理部
７            表示部
１１            プリアウト部
１２            パワーアンプ
１３            ＳＰリレー
１４            ＳＰ端子
【図１】
0005477397.tif 000002
【図２】
0005477397.tif 000003
【図３】
0005477397.tif 000004
【図４】
0005477397.tif 000005
【図５】
0005477397.tif 000006
【図６】
0005477397.tif 000007
【図７】
0005477397.tif 000008
【図８】
0005477397.tif 000009
【図９】
0005477397.tif 000010
【図１０】
0005477397.tif 000011
【図１１】
0005477397.tif 000012
【図１２】
0005477397.tif 000013